(57)【要約】      （修正有）【課題】フラップ用押さえばねの取付け作業が容易且つ取付け状態を確実に維持する。【解決手段】シャーシ本体と蓋板１Ｂとからなるローダーシャーシの前面に形成したディスク挿入口に対向して搬送ローラとフラップとが配置され、フラップを搬送ローラに向けて付勢する押さえばね２９が蓋板１Ｂのばね座３０に取り付けられ、ばね座３０がＬ字枠３８を有し、Ｌ字枠３８が支持板３８Ａと支軸板３８Ｂとからなり、支持板３８Ａの根元を折り曲げることによりＬ字枠３８が引き起こされ、支軸板３８Ｂのフラップ側端縁３８ａの先端からフラップ側に突出するストッパ部３９が設けられ、支軸板３８Ｂの蓋板側端縁３８ｂの先端側を切欠いて傾斜状ガイド縁４１が形成されており、押さえばね２９のコイル部２９ａを傾斜状ガイド縁４１に沿って支軸板３８Ｂに外嵌させ、コイル部２９ａから延びるロッド部２９ｂ，２９ｃを蓋板１Ｂとフラップとに係合させた。【選択図】図１
2012099185.tif 000002
【特許請求の範囲】
【請求項１】
シャーシ本体と蓋板とからなるローダーシャーシの前面にディスク挿入口が形成され、
該ローダーシャーシ内にターンテーブルと光ピックアップとを搭載したトラバースシャー
シが配置され、ディスク挿入口に対向してシャーシ本体の前部に搬送ローラが正逆回転可
能に配置され、該搬送ローラに対向して蓋板の裏面側にフラップが枢支軸回りで回動可能
に配置され、該フラップを搬送ローラに向けて付勢する押さえばねが蓋板のばね座に取り
付けられており、ディスク挿入口にスロットインしたディスクを搬送ローラとフラップと
で挟んでローダーシャーシ内に送り込み、該ディスクをターンテーブルで高速回転させ、
そのディスクに記録されている情報を光ピックアップで読み取るようにしたディスク装置
において、前記ばね座が、金属板製蓋板に開口部を形成することにより切り残されたＬ字
枠を有し、該Ｌ字枠が、開口部の端縁に一体形成した支持板と、該支持板の先端から直角
に折れ曲がる支軸板とからなり、前記支持板の根元を折り曲げることによりＬ字枠がフラ
ップ側に引き起こされ、前記支軸板のフラップ側端縁の先端からフラップ側に突出するス
トッパ部が設けられ、該支軸板のストッパ部と支持板との間が押さえばねのコイル部を受
支する支軸本体とされ、支軸板の蓋板側端縁の支軸本体より先端側を切欠いて傾斜状ガイ
ド縁が形成されており、押さえばねのコイル部を傾斜状ガイド縁に沿って支軸本体に外嵌
させ、該押さえばねのコイル部の両端から延びる２本のロッド部を蓋板とフラップとに係
合させるようにしたことを特徴とするディスク装置。
【請求項２】
前記支軸本体の幅がコイル部の幅よりも大きく設定され、前記ストッパ部の突出高さが
押さえばねを形成する線材の外径よりも大きく設定されていることを特徴とする請求項１
に記載のディスク装置。
【発明の詳細な説明】
【技術分野】
【０００１】
本発明は、ディスク装置に関し、特に、フラップ用押さえばねの取付け作業が容易でそ
の取付け状態を確実に維持できるようにしたものである。
【背景技術】
【０００２】
従来、ディスク装置の一例として図４〜図８に示すものがあり、これは、ディスクスロ
ットローディング機構を備えたＢｌｕ−ｒａｙ  Ｄｉｓｃ式のレコーダ（またはプレーヤ
）であって、図４及び図５はアンローディング状態を示し，図６はローディング状態を示
し、図７及び図８は同要部を示している。
【０００３】
図４及び図５に示すように、シャーシ本体１Ａと、該シャーシ本体１Ａに被せた蓋板１
Ｂとからなるローダーシャーシ１を有し、直径８ｃｍの小形ディスクＤａと直径１２ｃｍ
の大形ディスクＤｂとをスロットインａ及びスロットアウトｂするためのディスク挿入口
２がローダーシャーシ１の前面に形成され、ターンテーブル３付きスピンドルモータ４と
ディスクＤａ，Ｄｂの半径方向に沿って移動可能な光ピックアップ５とを搭載したトラバ
ースシャーシ６がローダーシャーシ１内に配置されている。
【０００４】
前記トラバースシャーシ６の後部が支軸７を介してローダーシャーシ１に矢印ｃ，ｄ方
向に回動可能に枢支され、シャーシ本体１Ａの前部にカムスライダ８が矢印ａ，ｂ方向と
は直交する左右方向ｅ，ｆにスライド可能に配置され、該カムスライダ８に形成したカム
溝９ａと、トラバースシャーシ６の前面に一体突設されてカム溝９ａに嵌入するカムピン
９ｂとからなるカム機構９によりカムスライダ８とトラバースシャーシ６とが連動連結さ
れている。
【０００５】
図４及び図５に示すように、ターンテーブル３に対向するクランパ１１が蓋板１Ｂのク
ランパホルダ１２内に昇降可能に配置され、該クランパ１１を弾性的に押すための押さえ
枠１３が設けられており、そのクランパ１１とターンテーブル３とでディスクＤａ，Ｄｂ
をクランプする。
【０００６】
図４に示すように、蓋板１Ｂの中央から後方に向けてに矢印ａ，ｂ方向に沿って長孔１
５が形成され、本体１６ａと、該本体１６ａから直角に折れ曲がる円弧板１６ｂと、該円
弧板１６ｂの両端前面に一体形成した一対の円柱１６ｃとを有するディスクストッパ１６
が蓋板１Ｂの裏面側に配置され、該ディスクストッパ１６に一体突設したガイド片１７を
長孔１５内に移動可能に挿入し、該ガイド片１７の両端から左右に延びる係合片１８を蓋
板１Ｂの表面に係合させることにより、そのディスクストッパ１６が長孔１５に沿って移
動可能に形成されている。
【０００７】
図４に示すように、蓋板１Ｂの表面側にディスクアーム２０が支軸２１を中心に矢印ｇ
，ｈ方向に回動可能に配置され、該ディスクアーム２０の先端に形成した長孔状連結孔２
２を前記ガイド片１７の中央に突設した円柱状連結ピン２３に外嵌させることにより、デ
ィスクアーム２０とディスクストッパ１６とが連動連結されており、ディスクＤａ，Ｄｂ
によりアンローデング位置Ａ（図４実線参照）のディスクストッパ１６を押すことにより
、該ディスクストッパ１６が矢印ａ方向に移動されて、小形ディスクＤａは小形ディスク
ローディング位置Ｂ（図４一点鎖線参照）に停止され、大形ディスクＤｂは大形ディスク
ローディング位置Ｃ（図４二点鎖線参照）に停止され、それに連動してディスクアーム２
０が矢印ｇ方向に回動される。
【０００８】
図４に示すように、シャーシ本体１Ａの側部に連結部材２５が矢印ａ，ｂ方向に移動可
能に配置されてばね（図示せず）により矢印ａに引っ張られ、該連結部材２５の一端部が
ディスクアーム２０の基端に突設した連結杆２０ａに連結され、その連結部材２５の他端
部とカムスライダ８とが係合機構（図示せず）を介して係脱可能に係合されている。
【０００９】
図５に示すように、ディスク挿入口２に対向してシャーシ本体１Ａの前部に搬送ローラ
２６が正逆回転可能に配置され、該搬送ローラ２６に対向して蓋板１Ｂの裏面側にフラッ
プ２７が枢支軸２８回りで回動可能に配置され、該フラップ２７の前端縁にストッパ片２
７ａが設けられると共に、そのフラップ２７の後端縁に円弧状凸部２７ｂが形成され、該
凸部２７ｂを搬送ローラ２６に向けて付勢する押さえばね２９がフラップ２７と蓋板１Ｂ
との間に介在されている。
【００１０】
動作を説明すると、図４の実線及び図５はアンローディング状態を示すものであって、
ディスクＤａ，Ｄｂをディスク挿入口２にスロットインａすると、それを検知するセンサ
の検知信号に基づいて搬送ローラ２６を回転させ、その回転する搬送ローラ２６とフラッ
プ２７とにより挟まれたディスクＤａ，Ｄｂがローダーシャーシ１内に送り込まれる。
【００１１】
その送り込まれたディスクＤａ，Ｄｂによりアンローデング位置Ａのディスクストッパ
１６が矢印ａ方向に押し出され、それに連動してディスクアーム２０を介して連結部材２
５が矢印ｂ方向に所定距離移動し、該連結部材２５とカムスライダ８との間に設けた係合
機構（図示せず）の作用により、小形ディスクＤａの場合には、ディスクストッパ１６が
小形ディスクローディング位置Ｂまで移動されて、該小形ディスクＤａをターンテーブル
３と同心状に位置決めし、大形ディスクＤｂの場合には、ディスクストッパ１６が大形デ
ィスクローディング位置Ｃまで移動されて、該大形ディスクＤｂをターンテーブル３に同
心状に位置決めする。
【００１２】
前記連結部材２５の矢印ｂ方向への移動に連動して係合機構（図示せず）の作用により
、カムスライダ８が矢印ｅ方向にわずかにスライドされ、該カムスライダ８に設けたカム
ラック（図示せず）が駆動ピニオン（図示せず）に噛合される。
【００１３】
その後、駆動ピニオン（図示せず）の回転によりカムスライダ８を矢印ｅ方向にスライ
ドさせ、カム機構９によりトラバースシャーシ６を矢印ｃ方向に回動させ、図６に示すよ
うに、ターンテーブル３でディスクＤａ，Ｄｂを持ち上げ、該ディスクＤａ，Ｄｂをター
ンテーブル３とクランパ１１とでクランプする。
【００１４】
それと同時に、カムスライダ８をフラップ２７に係合させることにより、該フラップ２
７を押さえばね２９に抗して枢支軸２８回りで回動させてディスクＤａ，Ｄｂから離間さ
せ、そのフラップ２７のストッパ片２７ａによりディスク挿入口２を塞ぎ、ディスクスト
ッパ１６を矢印ａ方向に若干移動させてディスクＤａ，Ｄｂから離間させる。
【００１５】
続いて、スピンドルモータ４によりターンテーブル３を介してディスクＤａ，Ｄｂを高
速回転させ、光ピックアップ５を該ディスクＤａ，Ｄｂの半径方向に移動させて、該光ピ
ックアップ５によりディスクＤａ，Ｄｂに記録されている情報を読み取る。
【００１６】
図７及び図８に示すように、前記押さえばね２９は、左右一対設けられて、合成樹脂製
蓋板１Ｂの前部両側のばね座３０に取り付けられている。
【００１７】
前記ばね座３０は、蓋板１Ｂの前部両側に矢印ａ，ｂ方向に所定間隔をおいて開設した
第１、第２の開口部３１，３２を有し、その第１開口部３１の前端縁から折れ曲がってフ
ラップ２７に向けて延びる支持枠３３の先端に円柱状支軸３４が蓋板１Ｂと平行して矢印
ｅ，ｆ方向に一体突設され、第１、第２の開口部３１，３２間に仕切り板３５が設けられ
、第２開口部３２の側縁に一体突設した突起片３６が該第２開口部３２内に突出され、該
突起片３６の中央から先端がフラップ２７側に折り曲げられている。
【００１８】
前記押さえばね２９は、巻き数３乃至４のコイル部２９ａと、該コイル部２９ａの両端
から延びる２本のロッド部２９ｂ，２９ｃとにより形成されている。
【００１９】
押さえばね２９の取付け手順を説明すると、蓋板１Ｂを裏返しにした状態で、押さえば
ね２９のコイル部２９ａを支軸３４に外嵌させ、一方のロッド部２９ｂを仕切り板３５に
当接させる共に、他方のロッド部２９ｃを突起片３６に引っ掛けて仮止めする（図７仮想
線参照）。続いて、蓋板１Ｂにフラップ２７を取り付けた後、他方のロッド部２９ｃを突
起片３６から外してフラップ２７に当接させる（図５参照）。なお、関連する技術として
特許文献１に記載したものがある。
【先行技術文献】
【特許文献】
【００２０】
【特許文献１】特開２００７−８０３３７号公報
【発明の概要】
【発明が解決しようとする課題】
【００２１】
上記従来の構成では、支軸３４が蓋板１Ｂに平行状態で接近しているため、該支軸３４
に押さえばね２９のコイル部２９ａを手作業で外嵌させて取り付ける際に、蓋板１Ｂに指
部が引っ掛かりやすく、その取付け作業に手間がかかって面倒である。
【００２２】
また、支軸３４が円柱状に形成されているので、蓋板１Ｂにフラップ２７を取り付ける
際に、コイル部２９ａに工具や指部が引っ掛かって、そのコイル部２９ａが支軸３４から
外れやすい。
【００２３】
本発明は、上記従来の欠点に鑑み、フラップ用押さえばねの取付け作業が容易でその取
付け状態を確実に維持できるようにしたディスク装置を提供することを目的としている。
【課題を解決するための手段】
【００２４】
上記目的を達成するため、請求項１に記載の発明は、シャーシ本体と蓋板とからなるロ
ーダーシャーシの前面にディスク挿入口が形成され、該ローダーシャーシ内にターンテー
ブルと光ピックアップとを搭載したトラバースシャーシが配置され、ディスク挿入口に対
向してシャーシ本体の前部に搬送ローラが正逆回転可能に配置され、該搬送ローラに対向
して蓋板の裏面側にフラップが枢支軸回りで回動可能に配置され、該フラップを搬送ロー
ラに向けて付勢する押さえばねが蓋板のばね座に取り付けられており、ディスク挿入口に
スロットインしたディスクを搬送ローラとフラップとで挟んでローダーシャーシ内に送り
込み、該ディスクをターンテーブルで高速回転させ、そのディスクに記録されている情報
を光ピックアップで読み取るようにしたディスク装置において、前記ばね座が、金属板製
蓋板に開口部を形成することにより切り残されたＬ字枠を有し、該Ｌ字枠が、開口部の端
縁に一体形成した支持板と、該支持板の先端から直角に折れ曲がる支軸板とからなり、前
記支持板の根元を折り曲げることによりＬ字枠がフラップ側に引き起こされ、前記支軸板
のフラップ側端縁の先端からフラップ側に突出するストッパ部が設けられ、該支軸板のス
トッパ部と支持板との間が押さえばねのコイル部を受支する支軸本体とされ、支軸板の蓋
板側端縁の支軸本体より先端側を切欠いて傾斜状ガイド縁が形成されており、押さえばね
のコイル部を傾斜状ガイド縁に沿って支軸本体に外嵌させ、該押さえばねのコイル部の両
端から延びる２本のロッド部を蓋板とフラップとに係合させるようにしたことを特徴とし
ている。
【００２５】
請求項２に記載の発明は、請求項１に記載の発明において、前記支軸本体の幅がコイル
部の幅よりも大きく設定され、前記ストッパ部の突出高さが押さえばねを形成する線材の
外径よりも大きく設定されていることを特徴としている。
【発明の効果】
【００２６】
請求項１に記載の発明によれば、手作業で押さえばねのコイル部を支軸板の支軸本体に
外嵌させる際に、該支軸板の先端に形成した傾斜状ガイド縁が蓋板から離間するように斜
め方向に延びているから、その傾斜状ガイド縁に沿って押さえばねのコイル部を支軸板の
支軸本体に容易に外嵌させることができる。
【００２７】
蓋板にフラップを取り付ける際に、押さえばねのコイル部に工具や指部が引っ掛かった
としても、支軸板の先端にストッパ部が設けられているので、そのコイル部が支軸板から
外れることがなく、フラップの取付け作業を能率的に行うことができる。
【００２８】
支持板及び支軸板からなるＬ字枠が金属板製蓋板に開口部を形成する際に切り残されて
おり、そのＬ字枠を形成するのにあたって部品点数が増加せず、制作費を安くすることが
できる。
【００２９】
請求項２に記載の発明によれば、押さえばねのコイル部を支軸板の支軸本体に外嵌させ
た状態で、該コイル部に対して支軸板から外す方向に工具や指部による過大な負荷がかか
ったとしても、支軸本体の幅がコイル部の幅よりも大きく設定されると共に、ストッパ部
の突出高さが押さえばねを形成する線材の外径よりも大きく設定されているので、そのコ
イル部が支軸本体上から外れることがなく、押さえばねのばね座への取付け状態を確実に
維持することができる。
【図面の簡単な説明】
【００３０】
【図１】本発明の実施の一形態であるディスク装置の要部の斜視図である。
【図２】同要部の横断面図である。
【図３】（ａ）及び（ｂ）は押さえばねの取付け状態を説明する横断面図である。
【図４】従来例のアンローディング状態を示す平面図である。
【図５】同アンローディング状態の縦断面図である。
【図６】同ローディング状態の縦断面図である。
【図７】同要部の斜視図である。
【図８】同要部の横断面図である。
【発明を実施するための形態】
【００３１】
図１〜図３は本発明の実施の一形態であるディスク装置の要部を示すものであり、これ
はディスクスロットローディング機構を備えたＢｌｕ−ｒａｙ  Ｄｉｓｃ式のレコーダ（
またはプレーヤ）であって、ばね座３０が、金属板製蓋板１Ｂに第１開口部３１を形成す
ることにより切り残されたＬ字枠３８を有し、該Ｌ字枠３８が、第１開口部３１の端縁に
一体形成した支持板３８Ａと、該支持板３８Ａの先端から直角に折れ曲がる支軸板３８Ｂ
とからなり、支持板３８Ａの根元を折り曲げることによりＬ字枠３８がフラップ２７側に
引き起こされ、支軸板３８Ｂのフラップ側端縁３８ａの先端からフラップ２７側に突出す
るストッパ部３９が設けられ、該支軸板３８Ｂのストッパ部３９と支持板３８Ａとの間が
押さえばね２９のコイル部２９ａを受支する支軸本体４０とされている。上記以外の構成
は図４〜図８に示す構成とほぼ同じであるから、同一部分に同一符号を付してその説明を
省略する。
【００３２】
図１〜図３に示すように、ストッパ部３９の支軸本体４０に対向する側縁を所定の傾斜
角度α（例えば４５°）で傾斜させて傾斜状側縁３９ａが形成され、支軸板３８Ｂの蓋板
側端縁３８ｂの支軸本体４０よりも先端側を切欠いて所定の傾斜角度β（例えば３０°）
で傾斜させた傾斜状ガイド縁４１が形成されている。
【００３３】
図２に示すように、支軸本体４０のフラップ側端縁３８ａと蓋板側端縁３８ｂとが互い
に平行に形成され、支軸本体４０の幅ｈ１がコイル部２９ａの幅ｈ２よりも大きく設定さ
れ、ストッパ部３９の突出高さｔ１が押さえばね２９を形成する線材の外径ｔ２よりも大
きく設定されている。
【００３４】
押さえばね２９の取付け手順を説明すると、蓋板１Ｂを裏返しにした状態で、図３（ａ
）に示すように、押さえばね２９のコイル部２９ａをストッパ部３９の傾斜状側縁３９ａ
及び傾斜状ガイド縁４１に沿って支軸板３８Ｂの先端に当て付け、図３（ｂ）に示すよう
に、コイル部２９ａを支軸本体４０に外嵌させる。続いて、図１に示すように、一方のロ
ッド部２９ｂを仕切り板３５に当接させる共に、他方のロッド部２９ｃを突起片３６に引
っ掛けて仮止めする。その後、蓋板１Ｂにフラップ２７を取り付けた後、他方のロッド部
２９ｃを突起片３６から外してフラップ２７に当接させる（図５参照）。
【００３５】
上記構成によれば、図３（ａ）に示すように、手作業で押さえばね２９のコイル部２９
ａを支軸板３８Ｂの支軸本体４０に外嵌させる際に、該支軸板３８Ｂの先端に形成したス
トッパ部３９の傾斜状側縁３９ａと傾斜状ガイド縁４１とが蓋板１Ｂから離間するように
斜め方向に延びているから、そのストッパ部３９の傾斜状側縁３９ａと傾斜状ガイド縁４
１とに沿って押さえばね２９のコイル部２９ａを支軸板３８Ｂの支軸本体４０に容易に外
嵌させることができる。
【００３６】
図２に示すように、支軸板３８Ｂの先端に一体突設したストッパ部３９の突出高さｔ１
が押さえばね２９を形成する線材の外径ｔ２よりも大きく設定され、支軸本体４０の幅ｈ
１がコイル部２９ａの幅ｈ２よりも大きく設定されているので、図３（ｂ）に示すように
、蓋板１Ｂにフラップ２７を取り付ける際に、支軸本体４０に外嵌させたコイル部２９ａ
に工具や指部が引っ掛かって過大な負荷Ｍがかかっても、そのコイル部２９ａが支軸本体
４０上から外れることがなく、押さえばね２９のばね座３０への取付け状態を確実に維持
することができると共に、フラップ２７の取付け作業を能率的に行うことができる。
【００３７】
図１に示すように、支持板３８Ａ及び支軸板３８ＢからなるＬ字枠３８が金属板製蓋板
１Ｂに第１開口部３１を形成する際に切り残されており、そのＬ字枠３８を形成するにあ
たって部品点数が増加せず、制作費を安くすることができる。
【符号の説明】
【００３８】
１        ローダーシャーシ
１Ａ      ローダーシャーシのシャーシ本体
１Ｂ      ローダーシャーシの蓋板
２        ディスク挿入口
３        ターンテーブル
５        光ピックアップ
３０      ばね座
３８      Ｌ字枠
３８Ａ    Ｌ字枠の支持板
３８Ｂ    Ｌ字枠の支軸板
３８ａ    支軸本体のフラップ側端縁
３８ｂ    支軸本体の蓋板側端縁
３９      ストッパ部
４０      支軸本体
４１      傾斜状ガイド縁
Ｄａ      小形ディスク
Ｄｂ      大形ディスク
ａ        スロットイン
【図１】
2012099185.tif 000003
【図２】
2012099185.tif 000004
【図３】
2012099185.tif 000005
【図４】
2012099185.tif 000006
【図５】
2012099185.tif 000007
【図６】
2012099185.tif 000008
【図７】
2012099185.tif 000009
【図８】
2012099185.tif 000010